(57)【要約】      （修正有）【課題】  海水、塩水よりなるミクロン状の人工の雪状軟氷を収納する貯留容器であり、雪状軟氷が溶けた時に塩水と雪状軟氷とを分離して使用するようにした可変貯留容器の提供。【解決手段】  可変貯留部２は、軟氷の貯留室９と移動押圧板５によって、分離水の貯水室８とに分離する。可変貯留部には、前後の側壁に各々相対向するスライド溝１２を形成し、スライド溝に移動押圧板を摺動自在に垂設し、且つ左右の側壁の一方に排水孔１３を穿設した。【選択図】図１
2007093186.tif 000002
【特許請求の範囲】
【請求項１】
各種の魚介類等に使用する人工の雪状軟氷を塩水と軟氷とに分離する雪状軟氷の可変貯留容器において、該可変貯留容器は、可変貯留部と蓋体とより構成され、該可変貯留部には、軟氷の貯留室と分離水の貯水室とを形成し、且つ該可変貯留部には、前後の側壁に各々相対向するスライド溝を形成し、左右の側壁の一方には、排水孔を穿設し、且つ該可変貯留部の内部には、該スライド溝に沿って摺動する移動押圧板を垂設し、該移動押圧板には、上方に該スライド溝に移動する案内部を形成した事を特徴とする雪状軟氷の可変貯留容器。
【発明の詳細な説明】
【技術分野】
【０００１】  本発明は、水揚げされた活魚類又は活貝類等の各種魚介類の鮮度を維持するための海水または塩水よりなるミクロン状の人工の雪状軟氷を収納する貯留容器であって、該雪状軟氷が溶けた時に塩水と雪状軟氷とを容易に分離することができる雪状軟氷の可変貯留容器に関するものである。
【背景技術】
【０００２】  従来この種の各種魚介類に使用する雪状軟氷は、時間の経過と共に溶け始めると、塩水に軟氷が混合し、軟氷が浮上状態となったものを普通に使用されている現状である。
【発明の開示】
【発明が解決しようとする課題】
【０００３】  従来の貯留容器にあっては、雪状軟氷が溶けた状態では使用できないので、網等によって軟氷を常時すくい上げて保冷すると云う面倒な作業であって、確実に塩水のみを水切りできない欠点がある。
本発明は、従来の上記のような欠点を解決するものであり、その主たる目的とする所は、製造された雪状軟氷を貯留容器に収納しても長期間に亘って雪状軟氷を保持した状態で使用することは不可能である。そこで、貯留容器内に収納した雪状軟氷が溶けて、塩水と軟氷とが混合した状態の時に貯留容器内に設けた移動押圧板の移動によって一方を分離水の貯水室に塩水のみを流出させ、他方を雪状軟氷のみに分離させて再度の雪状軟氷として敏速簡単に使用できれば大変に便利となる雪状軟氷の可変貯留容器を提供するものである。
【課題を解決するための手段】
【０００４】  上記目的を達成するために、本発明の雪状軟氷の可変貯留容器によれば、各種の活魚又は活貝類に使用する人工の雪状軟氷を塩水と軟氷とに分離するもので、該貯留容器には、可変貯留部と蓋体とより構成し、該可変貯留部には、前後の側壁に対して相対向するスライド溝を設ける。また左右の側壁には、一方に排水孔を穿設してある。また、該可変貯留部には、内部に移動押圧板を介して一方に分離水の貯水室と、他方に水切りされた柔らかい軟氷の貯留室を形成する。該移動押圧板は、該スライド溝に垂下して移動自在に装設されている。
【発明の効果】
【０００５】  本発明は、以上説明したように構成されているので、従来の如く、貯留容器に雪状軟氷を入れた後に、保冷に使用すると、最初の内は雪状軟氷として充分役割を果たすが、時間と共に溶けて塩水と軟氷が混合状態となり、軟氷のみを保冷に使用することが困難な欠点を解決できると共に、常時に雪状軟氷として使用できる効果がある。そして、貯留容器には、前後の側壁に相対向する斜状に移動する移動押圧板を吊持するスライド溝を形成したので、該移動押圧板は、平行して移動し、溶けた塩水と軟氷との混合状態より塩水のみが隙間より流出して分離水の貯水室に溜り排水孔より確実に外部に排出され、移動押圧板に押圧された雪状軟氷となって軟氷の貯留室に溜り、塩水のない新鮮な軟氷として充分に使用できる効果がある。また、斜状に押圧する移動押圧板は、最初の内は該スライド溝に沿って一方の端部に位置させるため、何等邪魔にならず大変に便利である。更に一方の側壁に設けた排水孔は、溶けた塩水を溜めることなく常時外部に排出する効果もある。
【発明を実施するための最良の形態】
【０００６】  上記の如く構成された、雪状軟氷の可変貯留容器によれば、魚介類の鮮度を維持するために製造された人工の雪状軟氷を貯留容器の軟氷の貯留室に注入する。この時図３に示す如く移動押圧板は、一方の端部に位置する。その後、時間の経過と共に、軟氷が溶けて塩水と軟氷が分離した時に図４に示す如く、該移動押圧板をスライド溝に沿って誘導して軟氷の貯留室に柔らかい雪状軟氷を保持して使用に供する。また、該移動押圧板のスライドによって、分離水の貯水室に塩水のみが流入し、この塩水は、排水孔より外部に放出するものである。再度の使用時には、図３に示す位置に移動押圧板を移動して使用する。
【実施例】
【０００７】  次に、実施例を図面について説明すると、図１において、雪状軟氷（１５）を注入する可変貯留容器（１）は、断熱性を有する構成材料より底部（１０）を有する箱型状に形成された可変貯留部（２）と蓋体（３）とよりなっている。該貯留容器（１）は、内部を分離水の貯水室（８）と軟氷の貯留室（９）とに分離し、且つ内部の斜状に摺動する移動押圧板（５）とより構成されている。該貯水室（８）には、分離水（１６）が流入する。また該貯留室（９）には、内部に該雪状軟氷（１５）を収納するものである。
該可変貯留部（２）には、前後の側壁（６）（６）に各々相対向するスライド溝（１２）（１２）を形成する。該スライド溝（１２）（１２）の構成は、スライド溝（１２）を設けた取付型又はスライド用の切削溝等を直接に設けることもある。
次に、図３、図４に示す左右の側壁（７）（７）には、一方の側壁（７）に排水孔（１３）を穿設してある。該排水孔（１３）は、貯水室（８）に溜った分離水（１６）を外部に排水する作用をするものである。
また、該スライド溝（１２）（１２）に摺動自在に垂下する該移動押圧板（５）には、上部に該スライド溝（１２）（１２）に係合する移動用の案内部（１４）を形成してある。
なお、貯留容器（１）に収納した雪状軟氷（１５）は、塩水と軟氷とは分離して柔らかさを保持し、０℃の冷蔵庫内で１週間は、充分に軟氷の状態で保持できるものである。
【図面の簡単な説明】
【０００８】
【図１】  本発明の蓋体を開放状態にした内部を開示した全体の斜面図である。
【図２】  同じく本発明の１実施例の移動押圧板の斜面図である。
【図３】  本発明の蓋体をした全体の状態の縦断側面図である。
【図４】  同じく本発明の可変貯留部の内部で移動押圧板が移動した状態の縦断側面図である。
【符号の説明】
【０００９】１          可変貯留容器
２          可変貯留部
３          蓋体
５          移動押圧板
６          前後の側壁
７          左右の側壁
８          分離水の貯水室
９          軟氷の貯留室
１０        底部
１２        スライド溝
１３        排水孔
１４        移動案内部
１５        雪状軟氷
１６        分離水
【図１】
2007093186.tif 000003
【図２】
2007093186.tif 000004
【図３】
2007093186.tif 000005
【図４】
2007093186.tif 000006